(57)【要約】【課題】従来の耐震、耐風雨用の瓦は、水返し突条を有する平板瓦部と、玉口部を有する丸瓦部とで構成される。この本葺き瓦の葺設は、下側に葺設かつ釘打ちした瓦の平板瓦部の尻側と、玉口部に、上側に葺設した瓦の平板瓦部の頭側と、丸瓦部の頭側が、それぞれ重ね葺きされ、かつ下側の丸瓦部の尻側端面は、上側の頭側端面に当接される。この釘打ち、重ね葺き、及び当接構造による耐震、耐風雨効果では、業界及び施主にとって十分とは到底云えない。【構成】本発明は、平板瓦部の表面に設けた表側水返し突条と、表側水返し突条の差込み側に併設した差込み表側内部水返し突条部と、また一段の尻表側内部水返し突条部、及び内部表側水返し突条とを設け、また平板瓦部の裏面に設けた頭裏側水返し突条の裏側嵌合溝と、内部裏側嵌合溝とを設け、また平板瓦部に併設した玉口部を有する丸瓦部と、丸瓦部の頭側に設けた第１係止部と、丸瓦部の尻側に設けた第２係止部とで構成した耐震、耐風雨用の瓦である。【選択図】    図１
2004238834.tif 000002
【特許請求の範囲】
【請求項１】
平板瓦部の表面に、尻棧隅部から差込み頭隅部に亘って設けた表側水返し突条と、この表側水返し突条の差込み側に併設した差込み表側内部水返し突条部と、また当該表側水返し突条の尻側に併設した少なくとも一段の尻表側内部水返し突条部、及びこの尻表側内部水返し突条部に併設した内部表側水返し突条とを設け、またこの平板瓦部の裏面に設けた頭裏側水返し突条の裏側嵌合溝と、この頭裏側水返し突条の内側に内部裏側嵌合溝とを設け、また当該平板瓦部に併設した玉口部を有する丸瓦部と、この丸瓦部の頭側に設けた第１係止部と、当該丸瓦部の尻側に設けた第２係止部とで構成した耐震、耐風雨用の本葺き瓦。
【請求項２】
平板瓦部の表面に、尻棧隅部から差込み頭隅部に亘って設けた表側水返し突条と、この表側水返し突条の差込み側に併設した差込み表側内部水返し突条部と、また当該表側水返し突条の尻側に併設した少なくとも一段の尻表側内部水返し突条部、及びこの尻表側内部水返し突条部に併設した内部表側水返し突条と、この内部表側水返し突条に併設して表側嵌合溝を設け、またこの平板瓦部の裏面に、頭側に設けた頭裏側水返し突条と、この頭裏側水返し突条の下側の裏側係止突条と、この裏側係止突条に併設した頭裏側嵌合溝と、当該頭裏側水返し突条の内側に内部裏側嵌合溝とを設け、また当該平板瓦部に併設した玉口部を有する丸瓦部と、この丸瓦部の頭側に設けた第１係止部と、当該丸瓦部の尻側に設けた第２係止部とで構成した耐震、耐風雨用の本葺き瓦。
【請求項３】
請求項１又は請求項２の第１係止部は、丸瓦部の頭側より突出した突起で、前記第２係止部は、丸瓦部の尻側より陥没した窪みで構成した耐震、耐風雨用の本葺き瓦。
【請求項４】
請求項１又は請求項２の第１係止部は、丸瓦部の頭側より陥没した窪みで、前記第２係止部は、丸瓦部の尻側より突出した突起で構成した耐震、耐風雨用の本葺き瓦。
【請求項５】
請求項１又は請求項２の丸瓦部の尻側の端面は、前記差込み表側内部水返し突条部の尻側の端面に位置する構成した耐震、耐風雨用の本葺き瓦。
【発明の詳細な説明】
【０００１】
【産業上の利用分野】
本発明は、耐震、耐風雨用の本葺き瓦に関する。
【０００２】
【従来の技術】
従来の耐震、耐風雨用の本葺き瓦（擬似本葺き瓦である。以下、本葺き瓦とする）は、水返し突条を有する平板瓦部と、玉口部を有する丸瓦部とで構成される。この本葺き瓦の葺き上げ（葺設）は、下側（軒側）に葺設かつ釘打ちした本葺き瓦の平板瓦部の尻側と、玉口部に、上側（棟側）に葺設した本葺き瓦の平板瓦部の頭側と、丸瓦部の頭側が、それぞれ重ね葺きされるとともに、下側の丸瓦部の尻側の端面は、上側の頭側の端面に当接される構造である。この釘打ち、重ね葺き、及び当接とによる構成を介して耐震、耐風雨効果を意図する。しかし、この釘打ち、重ね葺き、及び当接構造による耐震、耐風雨効果では、業界及び施主にとって十分とは到底云えないのが現状である。
【０００３】
そこで、従来の問題解決の一環として、文献（１）〜（４）を参照してさらに言及する。文献（１）は、実開平１−８２２１８号の耐風用屋根瓦であり、内容は、丸瓦部の頭側端部に凸部を、また尻側の端面に凹部を形成し、この凹凸部を利用して上下側の屋根瓦相互間を、緊締する構造（ズレ防止と、耐震、耐風雨効果を図ること）である。文献（２）は、特開平１１−２２１１２号の本瓦葺屋根構造であり、丸瓦の丸瓦本体の頭側と、尻側の端面に、凹凸を形成し、この凹凸の嵌合を利用して上下側の本瓦の相互間を、緊締する構造である。また文献（３）は、特開２００２−１３２５０の耐震、耐風雨用の軽量本葺き瓦であり、内容は、平瓦部の表面に、尻棧隅部から差込み頭隅部に亘って設けた水返し突条と、この水返し突条の尻側及び差込み側に併設した内部表側水返し突条部と、また当該内部表側水返し突条の尻側に併設した係止突部とを設けた構成であり、係止突部と他の本葺き瓦の頭側との係止、及び丸瓦部の尻側の端面と他の本葺き瓦の丸瓦部の頭側との係止とを介して耐震、耐風雨効果を図る構造である。尚、文献（４）は、特開２０００−５４５６６の防水瓦（和形瓦）であり、内容は、瓦本体の表面に、尻棧隅部から差込み頭隅部に亘って設けた水返し突条と、この水返し突条の尻側及び差込み側に併設した内部表側水返し突条部と、また当該内部表側水返し突条の尻側に併設した係止突部とを設けた構成であり、内部表側水返し突条部と他の防水瓦の頭側との係止、及び差込み側の内部水返し突条部と隣接する防水瓦の断面円弧状の被せ部との係止とを介して耐震、耐風雨効果を図る構造である。
【０００４】
【発明が解決しようとする課題】
文献（１）、（２）は、丸瓦部（丸瓦）の凸部と、その尻側の凹部とを係止した構造である。この丸瓦部による上下側の屋根瓦（本瓦）相互間の耐震、耐風雨効果では、当該屋根瓦の全体の耐震、耐風雨効果は、到底期待できないと考えられる。何故ならば、この震動、又は風雨は、丸瓦部のみでなく、屋根瓦の全体に掛るものであり、しかも屋根瓦で、最も震動、又は風雨の影響を受けるが平板瓦部であること、等が理由である。
【０００５】
また文献（３）、（４）は、本葺き瓦（防水瓦）の表面に、その尻側及び差込み側に併設した内部表側水返し突条部と、また当該内部表側水返し突条の尻側に併設した係止突部とを設けた構成であり、上下側及び／又は隣接する本葺き瓦相互間の係止を利用して耐震、耐風雨効果を図る構造である。しかし、この文献（３）、（４）の構成では、平板瓦部（瓦本体）の衝止関係であり、ズレ防止と、風雨の浸入防止の範囲に留まり、到底、耐震、耐風雨効果を図るには、十分でないものと考えられる。何故ならば、この震動、又は風雨は、衝止関係でなく、少なくとも係止（嵌合）関係が必要となるからである。
【０００６】
【課題を解決するための手段】
請求項１の発明は、本葺き瓦全体で耐震、耐風雨効果を発揮できる構造を提供すること、殊に、平板瓦部と丸瓦部との双方による嵌合関係を採用して、耐震、耐風雨効果を発揮すること、又は本葺き瓦の表側水返し突条の差込み側に併設した差込み表側内部水返し突条部と、隣接する本葺き瓦の丸瓦部の面戸端部との係止を利用して、地割の確実性、容易性、又は変更可能とした本葺き瓦の提供すること、等を意図する。
【０００７】
請求項１は、平板瓦部の表面に、尻棧隅部から差込み頭隅部に亘って設けた表側水返し突条と、この表側水返し突条の差込み側に併設した差込み表側内部水返し突条部と、また当該表側水返し突条の尻側に併設した少なくとも一段の尻表側内部水返し突条部、及びこの尻表側内部水返し突条部に併設した内部表側水返し突条とを設け、またこの平板瓦部の裏面に設けた頭裏側水返し突条の裏側嵌合溝と、この頭裏側水返し突条の内側に内部裏側嵌合溝とを設け、また当該平板瓦部に併設した玉口部を有する丸瓦部と、この丸瓦部の頭側に設けた第１係止部と、当該丸瓦部の尻側に設けた第２係止部とで構成した耐震、耐風雨用の本葺き瓦である。
【０００８】
請求項２の発明は、本葺き瓦全体で耐震、耐風雨効果を発揮できる構造を提供すること、殊に、平板瓦部の二重の嵌合関係と、この二重の嵌合関係と丸瓦部とによる双方の嵌合関係とを採用して、耐震、耐風雨効果を、最大限に発揮すること、又は本葺き瓦の表側水返し突条の差込み側に併設した差込み表側内部水返し突条部と、隣接する本葺き瓦の丸瓦部の面戸端部との係止を利用して、地割の確実性、容易性、又は変更可能とした本葺き瓦の提供を意図する。また二重の嵌合関係と、双方の嵌合関係、及び差込み表側内部水返し突条部と、隣接する本葺き瓦の丸瓦部の面戸端部との係止を利用し、雨仕舞がよく、また葺き上げ操作が容易で、かつ葺き上げの美観又は質感の向上が図れ、しかも堅牢な本葺き屋根の構築ができる本葺き瓦の提供を意図する。
【０００９】
請求項２は、平板瓦部の表面に、尻棧隅部から差込み頭隅部に亘って設けた表側水返し突条と、この表側水返し突条の差込み側に併設した差込み表側内部水返し突条部と、また当該表側水返し突条の尻側に併設した少なくとも一段の尻表側内部水返し突条部、及びこの尻表側内部水返し突条部に併設した内部表側水返し突条と、この内部表側水返し突条に併設して表側嵌合溝を設け、またこの平板瓦部の裏面に、頭側に設けた頭裏側水返し突条と、この頭裏側水返し突条の下側の裏側係止突条と、この裏側係止突条に併設した頭裏側嵌合溝と、当該頭裏側水返し突条の内側に内部裏側嵌合溝とを設け、また当該平板瓦部に併設した玉口部を有する丸瓦部と、この丸瓦部の頭側に設けた第１係止部と、当該丸瓦部の尻側に設けた第２係止部とで構成した耐震、耐風雨用の本葺き瓦である。
【００１０】
請求項３の発明は、請求項１の目的を達成するのに最適な丸瓦部の第１係止部と、当該丸瓦部の第２係止部とを提供する。
【００１１】
請求項３は、請求項１又は請求項２の第１係止部は、丸瓦部の頭側より突出した突起で、前記第２係止部は、丸瓦部の尻側より陥没した窪みで構成した耐震、耐風雨用の本葺き瓦である。
【００１２】
請求項４の発明は、請求項１の目的を達成するのに最適な丸瓦部の第１係止部と、当該丸瓦部の第２係止部とを提供する。
【００１３】
請求項４は、請求項１又は請求項２の第１係止部は、丸瓦部の頭側より陥没した窪みで、前記第２係止部は、丸瓦部の尻側より突出した突起で構成した耐震、耐風雨用の本葺き瓦である。
【００１４】
請求項５の発明は、請求項１の目的を達成するとともに、平板瓦部の葺き合わせ部を浸入する（遡上する）風雨を確実に防止し、かつ少なくとも耐風雨効果を発揮できる本葺き瓦を提供する。
【００１５】
請求項５は、請求項１又は請求項２の丸瓦部の尻側の端面は、差込み表側内部水返し突条部の尻側の端面に位置する構成した耐震、耐風雨用の本葺き瓦である。
【００１６】
【発明の実施の形態】
本発明の実施の態様を説明すると、
１．）  図１〜図６の例では、屋根地の横棧に、下側の本葺き瓦（瓦とする）の裏面の引掛けを係止し、かつ釘止めして葺き上げる。この下側の瓦の尻側に、上側（屋根の勾配方向：軒先方向）の瓦の頭側を重ね合せるように葺き上げる。この際、図５の如く、下側の瓦の表面に設けた尻表側水返し突条（尻表側水返し突条とは、尻側の表面の水返し突条を示す。以下同じ）に、上側の瓦の裏面に設けた内部裏側嵌合溝（内部裏側嵌合溝とは、裏面の内部の嵌合溝を示す。以下同じ）を、また下側の瓦の表面に設けた内部表側水返し突条に、上側の瓦の裏面に設けた頭裏側嵌合溝を、それぞれ嵌合する。この二箇所の嵌合関係は、当該上下側の瓦のズレ防止と、耐震・耐風雨効果が期待できる。またこの嵌合関係は、瓦の葺き上げの容易化、簡略化が図れ、かつ葺き上げの正確性（正確な位置決め）、葺き上げの美観確保等の効果が期待できる。尚、耐風雨効果は、主として下側の頭裏側嵌合溝と、上側の内部表側水返し突条との嵌合により可能となる。また頭側の頭垂れに面取り部を形成した場合には、この面取り部が、頭側に向って遡上する風雨を、上方に向う遡上を阻止し、耐風雨効果の一助となる。
【００１７】
そして、このに面取り部は、雨水、雪等の誘導と、暴風時にも前述の効果は期待できること、又は一層前記効果が期待できる。以上のような効果が期待できることは、例えば、屋根勾配の緩やかな葺設でも可能であり、しかも前述の効果と、略同じ効果が期待できる。即ち、屋根勾配の緩やかな葺設においても、防災瓦となり得る。またこの面取り部は、本葺き瓦等の厚みのカムフラージュに役立て得る。
【００１８】
一方、前記下側の瓦の差込み側に、隣接する（勾配方向に交差する方向：棟方向）側の瓦（隣接瓦）の丸瓦部（棧山側）を重ね合せるように葺き上げる。この際、図６の如く、下側の瓦の表面に設けた差込み表側水返し突条及び差込み表側内部水返し突条部の上に、隣接瓦の丸瓦部を重ね葺きする。そして、この下側の差込み表側内部水返し突条部は、隣接瓦の面戸部の基点（ガイド）として役立ち、地割の目安となる。またこの差込み表側内部水返し突条部と面戸部との添接関係の重なりは、耐震、耐風雨効果と、軒方向の瓦ズレ防止が期待できる。またこの添接関係は、瓦の葺き上げの容易化、簡略化が図れ、かつ葺き上げの正確性、葺き上げの美観確保等の効果が期待できる。
【００１９】
また丸瓦部には、その頭側の端面に第１係止部を、またその尻側の端面には第２係止部を、それぞれ設け、下側の瓦の第２係止部（突起）に、上側の瓦の第１係止部（窪み）が嵌込む（嵌込み関係）構成であり、この嵌込み関係は、前記の嵌合関係との相乗効果が期待できる。また耐震、耐風雨効果と、棟方向の瓦ズレ防止が期待できる。またこの嵌込み関係は、瓦の葺き上げの容易化、簡略化が図れ、かつ葺き上げの正確性、葺き上げの美観確保等の効果が期待できる。
【００２０】
尚、玉口部に（尻棧山の切込みに隣接して）設けた略方形状の表側膨出部は、上下側の瓦を葺き上げた際に、図示しない斜め上側の瓦の頭差込側の挿入用のスペースを構成する。従って、この部位で相互に関連する四枚の瓦の整然とした葺き上げが確保されること、又は前述の耐震、耐風雨効果と、略屋根の全方向の瓦ズレ防止が期待できる。またこの関係は、瓦の葺き上げの容易化、簡略化が図れ、かつ葺き上げの正確性、葺き上げの美観確保等の効果が期待できる。
２．）  また図７、図８の例では、屋根地の横棧に、下側の瓦の裏面に設けた引掛けを係止し、かつ釘止めして葺き上げる。この下側の瓦の尻側に、上側の瓦の頭側を重ね合せるように葺き上げる。この際、図８の如く、下側の瓦の表面に設けた尻表側水返し突条に、上側の瓦の裏面に設けた内部裏側嵌合溝を、これと同時に表側嵌合溝に上側の頭裏側水返し突条に設けた裏側係止突条を、そして、下側の瓦の表面に設けた内部表側水返し突条に、上側の瓦の裏面に設けた頭裏側嵌合溝を、それぞれ嵌合する。この三箇所の嵌合関係は、当該上下側の瓦のズレ防止と、耐震・耐風雨効果が、大いに期待できる。またこの嵌合関係は、瓦の葺き上げの容易化、簡略化が図れ、かつ葺き上げの正確性、葺き上げの美観確保等の効果が、大いに期待できる。尚、耐風雨効果は、主として下側の頭裏側嵌合溝と、上側の内部表側水返し突条との嵌合により可能となる。また頭側の頭垂れに面取り部を形成した場合には、この面取り部が、頭側に向って遡上する風雨を、上方に向う遡上を阻止し、耐風雨効果の大きな一助となる。そして、他の構成、この構成による葺き上げ、効果等は前述の図１〜図６の例に準ずる。
３．）  図９、図１０の例は、前記図１〜図６の例における丸瓦部の頭側の端面に第１係止部と、その尻側の端面には第２係止部との他の例であり、下側の瓦の第２係止部（窪み）に、上側の瓦の第１係止部（突起）が嵌込む（嵌込み関係）構成であり、この嵌込み関係は、前記図１〜図６の例に準ずる。
４．）  図１１〜図１３の例は、袖瓦に、本発明の構成を採用した一例である。この一例における構成と、この構成による葺き上げ、効果等は前述の図１〜図９の例に準ずる。
５．）  図１４〜図１６の例は、角袖瓦に、本発明の構成を採用した一例である。この一例における構成と、この構成による葺き上げ、効果等は前述の図１〜図９の例に準ずる。
６．）  図１７〜図１９の例は、軒先瓦に、本発明の構成を採用した一例である。この一例における構成と、この構成による葺き上げ、効果等は前述の図１〜図９の例に準ずる。
７．）  また図２０〜図２３の例は、袖丸の頭側の端面に第１係止部と、その尻側の端面には第２係止部との他の例であり、下側の瓦の第２係止部（突起）に、図示しない上側の瓦の第１係止部（窪み）が嵌込む（嵌込み関係）構成であり、この嵌込み関係は、前記図１〜図６の例に準ずる。また図９の例も可能である。
８．）  さらに図２４〜図２７の例は、軒巴の頭側の端面に第１係止部と、その尻側の端面には第２係止部との他の例であり、下側の瓦の第２係止部（突起）に、図示しない上側の瓦の第１係止部（窪み）が嵌込む構成（嵌込み関係）であり、この嵌込み関係は、前記図１〜図６の例に準ずる。また図９の例も可能である。
【００２１】
【実施例】
以下、本発明の一実施例を説明する。
１．）  図１〜図６の例を説明する。図中１は瓦（本葺き瓦）であり、この瓦１は、略曲面状を呈する平板瓦部２と、平板瓦部２に併設した玉口部３を有する略半円弧状を呈する丸瓦部４とで構成される。この平板瓦部２の表側２ａは、次の構成となっている。：尻棧隅部１イから差込み頭隅部１ロに亘って設けた表側水返し突条２００と、：この表側水返し突条２００の差込み側１−３（差込み表側水返し突条部２０１）に併設した差込み表側内部水返し突条部２０２と、：また表側水返し突条２００の尻側１−２（瓦１の尻側１−２）には段落し部２０３を経由して併設した少なくとも一段の端面視して略三角形状を呈する（尻側１−２に向って傾斜面となる）尻表側内部水返し突条部２０４と、：この尻表側内部水返し突条部２０４に併設した内部表側水返し突条２０５とを設ける。図中５は釘孔、６は表側膨出部、７は差込み頭隅部１ロに設けた切込み、８は尻棧隅部１イに設けた切込み、また９は瓦１（平板瓦部２及び／又は丸瓦部４）の頭側１−１に設けた面取り部を示す。尚、１−４は瓦１の棧山側を示す。前記差込み表側水返し突条部２０１と差込み表側内部水返し突条部２０２との間には、雨水の流れを確保する隙間２０６を設ける。またこの差込み表側内部水返し突条部２０２の尻側の端面２０２ａは、丸瓦部４の尻側の端面（後述する）と、同じ位置関係となり、上側の瓦１’の頭側１’−１が衝止し、ズレ防止、位置決め、葺合せの容易化等が図れる。そして、この差込み表側内部水返し突条部２０２の内側端面２０２ｂは、差込み表側水返し突条部２０１の内側端面２０１ａと同じ位置関係を維持し、隣接瓦１”の面戸部（後述する）との衝止に役立てること、又はズレ防止、位置決め、葺合せの容易化等が図れる。
【００２２】
この平板瓦部２の裏面２ｂは、次の構成となっている。：頭側１−１の裏面に設けた頭裏側水返し突条１０と、：この頭裏側水返し突条１０に設けた頭裏側嵌合溝１１と、：この頭裏側水返し突条１０の内側に設けた内部裏側嵌合溝１２とを設ける。尚、１３は裏面２ｂに設けた引掛けである。
【００２３】
従って、この例では、内部表側水返し突条２０５と、頭裏側嵌合溝１１との嵌合と、内部表側水返し突条２０５と、内部裏側嵌合溝１２との嵌合との二箇所の嵌合関係が図れる。この特徴は、前述の例「発明の実施の態様」の如くである。
【００２４】
また平板瓦部１には玉口部３を有する丸瓦部４が併設されており、この丸瓦部４の頭側の端面４ａには第１係止部１４を、また丸瓦部４の尻側の端面４ｂには第２係止部１５をそれぞれ形成する。そして、この例では、が窪み、第２係止部１５が突起である。尚、１−５は丸瓦部４の棧山側１−４の端に設けた面戸部である。
【００２５】
図中Ａは屋根地、Ｂは横棧であり、この屋根地Ａには引掛け１３を添接する。また横棧Ｂには引掛け１３を係止する。
２．）  図７、図８の例を説明する。主要部は、前述の図１〜図６の例に準ずるので、この例の特徴を説明する。この平板瓦部２の表側２ａに設けた内部表側水返し突条２０５に併設して表側嵌合溝２０７を設け、また当該平板瓦部２の裏面２ｂの頭側１−１に設けた頭裏側水返し突条１０に、この頭裏側水返し突条１０を延設した裏側係止突条１０００を設ける。従って、この例では、前述の図１〜図６の例に、さらに表側嵌合溝２０７と裏側係止突条１０００との嵌合関係が図れる。その特徴は、前述の例「発明の実施の態様」の如くである。
３．）    図９、図１０の例を説明する。主要部は、前述の図１〜図６（又は図７、図８）の例に準ずるので、この例の特徴を説明する。この例は、第１係止部１４は突起で、第２の係止部１５が窪みである。尚、この第１係止部１４と、第２の係止部１５との幅は、限定されないが、製造面、欠け防止、耐震効果等を考慮して決定する。また前記効果と、葺き合せ、葺替えの容易化等を配慮して、嵌合せに余裕を与える。
４．）  図１１〜図１３の例は、袖瓦（瓦１）に、本発明の構成を採用した一例である。この一例における構成と、この構成による葺き上げ、効果等は、前述の図１〜図６、また図７、図８、又は図９の例に準ずる。尚、図面は、図１〜図６の例を示す。図中１−５’は袖垂れ部を示す。そして、この例では丸瓦部４の頭側の端面４ａは、平板瓦部２の頭側１−１の端面より突出する構成となっている。
５．）  図１４〜図１６の例は、角袖瓦（瓦１）に、本発明の構成を採用した一例である。この一例における構成と、この構成による葺き上げ、効果等は、前述の図１〜図６、また図７、図８、又は図９の例に準ずる。尚、図面は、図１〜図６の例を示す。但し、面取り部９は原則として設けない。図中１−６は万十、１−７は、図示しない樋用の切込みを示す。この例では丸瓦部４の頭側の端面４ａは、平板瓦部２の頭側１−１の端面より突出（万十１−６の寸法の突出）する構成となっている。
６．）  図１７〜図１９の例は、軒先瓦（瓦１）に、本発明の構成を採用した一例である。この一例における構成と、この構成による葺き上げ、効果等は、前述の図１〜図６、また図７、図８、又は図９の例に準ずる。尚、図面は、図１〜図６の例を示す。但し、面取り部９は原則として設けない。図中１−６は万十を示す。この例では丸瓦部４の頭側の端面４ａは、平板瓦部２の頭側１−１の端面より突出（万十１−６の寸法の突出）する構成となっている。
７．）  また図２０〜図２３の例は、袖丸（瓦１）の頭側の端面４ａに第１係止部１４を、その尻側の端面４ｂには第２係止部１５をそれぞれ設けた他の例であり、下側の瓦の第２係止部（突起）に、図示しない上側の瓦の第１係止部（窪み）が嵌込む（嵌込み関係）構成であり、この嵌込み関係は、前記図１〜図６の例に準ずる。また図９の例も可能である。
８．）  さらに図２４〜図２７の例は、軒巴（瓦１）の頭側の端面４ａに第１係止部１４を、その尻側の端面４ｂには第２係止部１５をそれぞれ設けた他の例であり、下側の瓦の第２係止部（突起）に、図示しない上側の瓦の第１係止部（窪み）が嵌込む構成（嵌込み関係）であり、この嵌込み関係は、前記図１〜図６の例に準ずる。また図９の例も可能である。
【００２６】
【発明の効果】
請求項１の発明は、平板瓦部の表面に、尻棧隅部から差込み頭隅部に亘って設けた表側水返し突条と、表側水返し突条の差込み側に併設した差込み表側内部水返し突条部と、また表側水返し突条の尻側に併設した少なくとも一段の尻表側内部水返し突条部、及び尻表側内部水返し突条部に併設した内部表側水返し突条とを設け、また平板瓦部の裏面に設けた頭裏側水返し突条の裏側嵌合溝と、頭裏側水返し突条の内側に内部裏側嵌合溝とを設け、また平板瓦部に併設した玉口部を有する丸瓦部と、丸瓦部の頭側に設けた第１係止部と、丸瓦部の尻側に設けた第２係止部とで構成した耐震、耐風雨用の瓦である。
【００２７】
従って、請求項１は、瓦全体で耐震、耐風雨効果を発揮できる構造を提供できること、殊に、平板瓦部と丸瓦部との双方による嵌合関係を採用して、耐震、耐風雨効果を発揮できること、又は瓦の表側水返し突条の差込み側に併設した差込み表側内部水返し突条部と、隣接する瓦の丸瓦部の面戸端部との係止を利用して、地割の確実性、容易性、又は変更可能とした瓦を提供できること、等の特徴がある。
【００２８】
請求項２の発明は、平板瓦部の表面に、尻棧隅部から差込み頭隅部に亘って設けた表側水返し突条と、表側水返し突条の差込み側に併設した差込み表側内部水返し突条部と、また表側水返し突条の尻側に併設した少なくとも一段の尻表側内部水返し突条部、及び尻表側内部水返し突条部に併設した内部表側水返し突条と、内部表側水返し突条に併設して表側嵌合溝を設け、また平板瓦部の裏面に、頭側に設けた頭裏側水返し突条と、頭裏側水返し突条の下側の裏側係止突条と、裏側係止突条に併設した頭裏側嵌合溝と、頭裏側水返し突条の内側に内部裏側嵌合溝とを設け、また平板瓦部に併設した玉口部を有する丸瓦部と、丸瓦部の頭側に設けた第１係止部と、丸瓦部の尻側に設けた第２係止部とで構成した耐震、耐風雨用の瓦である。
【００２９】
従って、請求項２は、瓦全体で耐震、耐風雨効果を発揮できる構造を提供できること、殊に、平板瓦部の二重の嵌合関係と、この二重の嵌合関係と丸瓦部とによる双方の嵌合関係とを採用して、耐震、耐風雨効果を、最大限に発揮できること、又は瓦の表側水返し突条の差込み側に併設した差込み表側内部水返し突条部と、隣接する本葺き瓦の丸瓦部の面戸端部との係止を利用して、地割の確実性、容易性、又は変更可能とした瓦を提供できること、等の特徴がある。また二重の嵌合関係と、双方の嵌合関係、及び差込み表側内部水返し突条部と、隣接する瓦の丸瓦部の面戸端部との係止を利用し、雨仕舞がよく、また葺き上げ操作が容易で、かつ葺き上げの美観又は質感の向上が図れ、しかも堅牢な本葺き屋根の構築ができる瓦を提供できる。
【００３０】
請求項３の発明は、請求項１又は請求項２の第１係止部は、丸瓦部の頭側より突出した突起で、前記第２係止部は、丸瓦部の尻側より陥没した窪みで構成した耐震、耐風雨用の瓦である。
【００３１】
従って、請求項３は、請求項１の目的を達成するのに最適な丸瓦部の第１係止部と、当該丸瓦部の第２係止部とを提供できる。
【００３２】
請求項４の発明は、請求項１又は請求項２の第１係止部は、丸瓦部の頭側より陥没した窪みで、前記第２係止部は、丸瓦部の尻側より突出した突起で構成した耐震、耐風雨用の瓦である。
【００３３】
従って、請求項４は、請求項１の目的を達成するのに最適な丸瓦部の第１係止部と、当該丸瓦部の第２係止部とを提供できる。
【００３４】
請求項５の発明は、請求項１又は請求項２の丸瓦部の尻側の端面は、差込み表側内部水返し突条部の尻側の端面に位置する構成した耐震、耐風雨用の瓦である。
【００３５】
従って、請求項５は、請求項１の目的を達成するとともに、平板瓦部の葺き合わせ部を浸入する（遡上する）風雨を確実に防止し、かつ少なくとも耐風雨効果を発揮できる瓦を提供できる。
【図面の簡単な説明】
【図１】請求項１、３等に対応した瓦の表面図
【図２】図１の頭側からの正面図
【図３】図１の棧山側からの側面図
【図４】図１の差込み側からの側面図
【図５】請求項１、３等の発明の嵌込み状態を説明する拡大端面図
【図６】請求項１、３等の発明の葺合せ状態を説明する縮尺正面図
【図７】請求項２、３等に対応した瓦の表面図
【図８】請求項２、３等の発明の嵌込み状態を説明する拡大端面図
【図９】請求項４等に対応した瓦の表面図
【図１０】請求項４等に対応した丸瓦部の葺き合せ頭側と尻側の嵌込みを示した拡大断面図
【図１１】請求項１、３等に対応した他の瓦（袖瓦）の表面図
【図１２】図１１の頭側からの正面図
【図１３】図１１の棧山側からの側面図
【図１４】請求項１、３等に対応した他の瓦（角袖瓦）の表面図
【図１５】図１４の頭側からの正面図
【図１６】図１４の棧山側からの側面図
【図１７】請求項１、３等に対応した他の瓦（軒先瓦）の表面図
【図１８】図１７の頭側からの正面図
【図１９】図１７の棧山側からの側面図
【図２０】請求項４、５に対応した瓦（袖丸）の表面図
【図２１】図２０の頭側からの正面図
【図２２】図２０の棧山側からの側面図
【図２３】図２０の差込み側からの側面図
【図２４】請求項４、５に対応した瓦（軒巴）の表面図
【図２５】図２４の頭側からの正面図
【図２６】図２４の棧山側からの側面図
【図２７】図２４の差込み側からの側面図
【符号の説明】
１            瓦
１’            瓦
１”            瓦
１−１          頭側
１’−１          頭側
１−２          尻側
１−３          差込み側
１−４          棧山側
１−５          面戸部
１−５’          袖垂れ部
１−６          万十
１−７          切込み
１イ            尻棧隅部
１ロ            差込み頭隅部
２                    平板瓦部
２ａ            表側
２ｂ            裏側
２００                表側水返し突条
２０１                差込み表側水返し突条部
２０１ａ            内側端面
２０２                差込み表側内部水返し突条部
２０２ａ            尻側の端面
２０２ｂ            内側端面
２０３                段落し部
２０４                尻表側内部水返し突条部
２０５          内部表側水返し突条
２０６          隙間
２０７          表側嵌合溝
３              玉口部
４                    丸瓦部
４ａ            頭側の端面
４ｂ            尻側の端面
５              釘孔
６                    表側膨出部
７              切込み
８                    切込み
９              面取り部
１０              頭裏側水返し突条
１０００          裏側係止突条
１１            頭裏側嵌合溝
１２            内部裏側嵌合溝
１３            引掛け
１４            第１係止部
１５            第２係止部
Ａ            屋根地
Ｂ            横棧
【図１】
2004238834.tif 000003
【図２】
2004238834.tif 000004
【図３】
2004238834.tif 000005
【図４】
2004238834.tif 000006
【図５】
2004238834.tif 000007
【図６】
2004238834.tif 000008
【図７】
2004238834.tif 000009
【図８】
2004238834.tif 000010
【図９】
2004238834.tif 000011
【図１０】
2004238834.tif 000012
【図１１】
2004238834.tif 000013
【図１２】
2004238834.tif 000014
【図１３】
2004238834.tif 000015
【図１４】
2004238834.tif 000016
【図１５】
2004238834.tif 000017
【図１６】
2004238834.tif 000018
【図１７】
2004238834.tif 000019
【図１８】
2004238834.tif 000020
【図１９】
2004238834.tif 000021
【図２０】
2004238834.tif 000022
【図２１】
2004238834.tif 000023
【図２２】
2004238834.tif 000024
【図２３】
2004238834.tif 000025
【図２４】
2004238834.tif 000026
【図２５】
2004238834.tif 000027
【図２６】
2004238834.tif 000028
【図２７】
2004238834.tif 000029